(57)【特許請求の範囲】
【請求項１】
被接触部が設けられている基板と、
接触部材と、この接触部材が前記被接触部を押すように前記接触部材を付勢する付勢部材とを備えた端子と、
前記基板を支持するとともに、前記被接触部が前記接触部材で押されることによる前記基板の撓みを防止するための補強リブが設けられている基板支持体と、
を有することを特徴とするコネクタ。
【請求項２】
被接触部が設けられている基板と、
接触部材と、この接触部材が前記被接触部を押すように前記接触部材を付勢する付勢部材とを備えた端子と、
回動支軸部と被係止部と前記端子が収容される端子収容室とが設けられているハウジングと、
回動軸受け部と係止部とが設けられており、前記回動軸受け部に前記ハウジングの回動支軸部が係合して前記ハウジングが回動し前記係止部に前記ハウジングの被係止部が係止されるように構成されているケースと、
前記ケースに一体的に設置され前記基板を支持するとともに、前記ハウジングの端子収容室に前記端子が収容され前記ハウジングの回動支軸部が前記ケースの回動軸受け部に係合して前記ハウジングが前記ケースに対して回動し前記ハウジングの被係止部が前記ケースの係止部に係止されたときに、前記基板の被接触部が前記端子の接触部材で押されることによる前記基板の撓みを防止するための補強リブが設けられているケースカバーと、
を有することを特徴とするコネクタ。
【請求項３】
請求項１または請求項２に記載のコネクタにおいて、
前記接触部材が前記被接触部を押す方向から見ると、前記補強リブは、「ロ」字状に形成されており、前記接触部材が前記被接触部を押している部位が、前記補強リブの内側に存在していることを特徴とするコネクタ。
【請求項４】
請求項１または請求項２に記載のコネクタにおいて、
前記接触部材が前記被接触部を押す方向から見ると、前記補強リブは、中央部位と第１の側方部位と第２の側方部位とで形成された「Ｈ」字状、中央部位と第１の側方部位と第２の側方部位とで形成された「コ」字状のいずれかの形状に形成されており、前記接触部材が前記被接触部を押している部位が、前記第１の側方部位と前記第２の側方部位との間であって前記「Ｈ」字もしくは前記「コ」字の内側に存在しており、前記「Ｈ」字状の補強リブの第１の側方部位は「Ｈ」字の左側の縦線に相当する部位であり、前記「Ｈ」字状の補強リブの第２の側方部位は「Ｈ」字の右側の縦線に相当する部位であり、前記「Ｈ」字状の補強リブの中央部位は「Ｈ」字の中央の横線に相当する部位であり、前記「コ」字状の補強リブの第１の側方部位は「コ」字の上側の横線に相当する部位であり、前記「コ」字状の補強リブの第２の側方部位は「コ」字の下側の横線に相当する部位であり、前記「コ」字状の補強リブの中央部位は「コ」字の縦線に相当する部位であることを特徴とするコネクタ。
【請求項５】
請求項１または請求項２に記載のコネクタにおいて、
前記接触部材が前記被接触部を押す方向から見ると、前記補強リブは、第１の延伸部位と、この第１の延伸部位と平行に延びている第２の延伸部位とを備えた形状に形成されており、前記接触部材が前記被接触部を押している部位が、前記第１の延伸部位と前記第２の延伸部位との間に存在していることを特徴とするコネクタ。
【発明の詳細な説明】
【技術分野】
【０００１】
本発明は、コネクタに係り、特に、端子と基板とを備えていて、端子で基板を押すように構成されているものに関する。
【背景技術】
【０００２】
従来、図１９で示すようなコネクタ（ＳＭＴ型ＤＩＮコネクタ）３１０が知られている（たとえば特許文献１参照）。コネクタ３１０は、ハウジング３１２とシールド３１４と多数の端子（コンタクト）３３０とを備えている。ハウジング３１２にはたとえば８個の端子受容キャビティ３０１〜３０８が上中下３列に設けられている。端子受容キャビティ３０１〜３０８には、端子３３０のかん合部またはリセプタクル部３３２が挿入されている。
【０００３】
各端子３３０は、かん合部（リセプタクル部）３３２、平板状の固定部３３４、オフセットされているアーム部３３８、半田テール３３６および半田付足３４２を備えている。
【先行技術文献】
【特許文献】
【０００４】
【特許文献１】特開２００２−３２４６０６号公報
【発明の概要】
【発明が解決しようとする課題】
【０００５】
ところで、上記従来のコネクタ３１０では、コネクタ３１０を回路板（基板）３２０へ設置すると（ボードロック３１６をボードロック３１８にかん合すると）、端子接点部３４４がコンタクトパッド３５１に接触し、端子３３０が基板３２０を常に押し付けるので、この押し付け力によって基板３２０が変形し、端子接点部３４４（端子）とコンタクトパッド３５１（基板）との間での安定した導通を確保できないおそれがあるという問題がある。
【０００６】
本発明は、上記問題点に鑑みてなされたものであり、端子で基板を押すように構成されているコネネクタにおいて、端子（接触部材）と基板（被接触部）との間の安定した導通を確保することができるものを提供することを目的とする。
【課題を解決するための手段】
【０００７】
請求項１に記載の発明は、被接触部が設けられている基板と、接触部材と、この接触部材が前記被接触部を押すように前記接触部材を付勢する付勢部材とを備えた端子と、前記基板を支持するとともに、前記被接触部が前記接触部材で押されることによる前記基板の撓みを防止するための補強リブが設けられている基板支持体と、を有するコネクタである。
【０００８】
請求項２に記載の発明は、被接触部が設けられている基板と、接触部材と、この接触部材が前記被接触部を押すように前記接触部材を付勢する付勢部材とを備えた端子と、回動支軸部と被係止部と前記端子が収容される端子収容室とが設けられているハウジングと、回動軸受け部と係止部とが設けられており、前記回動軸受け部に前記ハウジングの回動支軸部が係合して前記ハウジングが回動し前記係止部に前記ハウジングの被係止部が係止されるように構成されているケースと、前記ケースに一体的に設置され前記基板を支持するとともに、前記ハウジングの端子収容室に前記端子が収容され前記ハウジングの回動支軸部が前記ケースの回動軸受け部に係合して前記ハウジングが前記ケースに対して回動し前記ハウジングの被係止部が前記ケースの係止部に係止されたときに、前記基板の被接触部が前記端子の接触部材で押されることによる前記基板の撓みを防止するための補強リブが設けられているケースカバーとを有するコネクタである。
【０００９】
請求項３に記載の発明は、請求項１または請求項２に記載のコネクタにおいて、前記接触部材が前記被接触部を押す方向から見ると、前記補強リブは、「ロ」字状に形成されており、前記接触部材が前記被接触部を押している部位が、前記補強リブの内側に存在しているコネクタである。
【００１０】
請求項４に記載の発明は、請求項１または請求項２に記載のコネクタにおいて、前記接触部材が前記被接触部を押す方向から見ると、前記補強リブは、中央部位と第１の側方部位と第２の側方部位とで形成された「Ｈ」字状、中央部位と第１の側方部位と第２の側方部位とで形成された「コ」字状のいずれかの形状に形成されており、前記接触部材が前記被接触部を押している部位が、前記第１の側方部位と前記第２の側方部位との間であって前記「Ｈ」字もしくは前記「コ」字の内側に存在しており、前記「Ｈ」字状の補強リブの第１の側方部位は「Ｈ」字の左側の縦線に相当する部位であり、前記「Ｈ」字状の補強リブの第２の側方部位は「Ｈ」字の右側の縦線に相当する部位であり、前記「Ｈ」字状の補強リブの中央部位は「Ｈ」字の中央の横線に相当する部位であり、前記「コ」字状の補強リブの第１の側方部位は「コ」字の上側の横線に相当する部位であり、前記「コ」字状の補強リブの第２の側方部位は「コ」字の下側の横線に相当する部位であり、前記「コ」字状の補強リブの中央部位は「コ」字の縦線に相当する部位であるコネクタである。
【００１１】
請求項５に記載の発明は、請求項１または請求項２に記載のコネクタにおいて、前記接触部材が前記被接触部を押す方向から見ると、前記補強リブは、第１の延伸部位と、この第１の延伸部位と平行に延びている第２の延伸部位とを備えた形状に形成されており、前記接触部材が前記被接触部を押している部位が、前記第１の延伸部位と前記第２の延伸部位との間に存在しているコネクタである。
【発明の効果】
【００１２】
本発明によれば、端子（接触部材）と基板（被接触部）との間の安定した導通を確保することができるコネクタを提供することができるという効果を奏する。
【図面の簡単な説明】
【００１３】
【図１】本発明の実施形態に係るコネクタの分解斜視図である。
【図２】（ａ）は端子の斜視図であり、（ｂ）は端子の分解斜視図である。
【図３】端子をハウジングの端子収容室の収容した状態を示す断面図である。
【図４】ハウジングの斜視図である。
【図５】ケースの斜視図である。
【図６】基板の斜視図である。
【図７】ケースカバーの一部分の斜視図である。
【図８】本発明の実施形態に係るコネクタにおいて、ハウジングをケースに一体的に設置する前の状態（端子の接触部材で基板の被接触部を押圧する前の状態）を示す側面図である。
【図９】本発明の実施形態に係るコネクタにおいて、ハウジングをケースに一体的に設置する前の状態を示す断面図である。
【図１０】図９におけるＸ部の拡大図である。
【図１１】本発明の実施形態に係るコネクタにおいて、ハウジングをケースに一体的に設置した状態（端子の接触部材で基板の被接触部を押圧している状態）を示す側面図である。
【図１２】本発明の実施形態に係るコネクタにおいて、ハウジングをケースに一体的に設置した状態を示す断面図である。
【図１３】図１２におけるＸＩＩＩ部の拡大図である。
【図１４】図１２におけるＸＩＶ−ＸＩＶ断面を示す図である。
【図１５】補強リブの変形例を示す図であって、図１４に対応した図である。
【図１６】補強リブの変形例を示す図であって、図１４に対応した図である。
【図１７】補強リブの変形例を示す図であって、（ａ）は、図１４に対応した図であってケースカバーの平面図であり、（ｂ）は、（ａ）におけるＸＶＩＩ−ＸＶＩＩ断面を示す図である。
【図１８】補強リブの変形例を示す図であって、図１７（ｂ）に対応した図である。
【図１９】従来のコネクタを示す図である。
【発明を実施するための形態】
【００１４】
本発明の実施形態に係るコネクタ１は、図１等で示すように、ハウジング３とケース５とケースカバー（基板支持体）７とを備えて構成されている。
【００１５】
ハウジング３には、回動支軸部（回動支持軸）９と被係止部１１と端子（コンタクト）１３が収容される（複数の）端子収容室１５とが設けられている。
【００１６】
ケース５には、回動軸受け部１７と係止部１９とハウジング３が収容されるハウジング収容部２１とが設けられている。そして、回動軸受け部１７にハウジング３の回動支軸部９が係合してハウジング３がケース５に対して回動し（図８、図９等参照）、ケース５の係止部１９にハウジング３の被係止部１１が係止され、ケース５がハウジング３に一体的に設置されるように構成されている（図１１、図１２等参照）。
【００１７】
また、コネクタ１（ケースカバー７等）には、基板２３が設置されるようになっている（図９等参照）。基板２３は、たとえば、平板状に形成されており、複数の被接触部２５が設けられている（図６等参照）。
【００１８】
端子１３は、図２で示すように、接触部材（接触部）２７と、付勢部材（付勢部）２９とを備えて構成されている。付勢部材２９は、接触部材２７が基板２３の被接触部２５に接触して被接触部２５を押すように接触部材２７を付勢するようになっている。
【００１９】
ケースカバー７は、図８、図１１等で示すように、ケース５に一体的に設置され基板２３を一体的に支持するようになっている。また、ケースカバー７には、補強リブ３１が設けられている。補強リブ３１は、端子ハウジング設置状態になったときに基板２３の被接触部２５が端子１３の接触部材２７で押されることによる基板２３の撓みを防止するためのものである。ここで、端子ハウジング設置状態とは、ハウジング３の端子収容室１５に端子１３が収容されハウジング３の回動支軸部９がケース５の回動軸受け部１７に係合してハウジング３がケース５に対して回動しハウジング３の被係止部１１がケース５の係止部１９に係止された状態をいう（図１１〜図１３参照）。
【００２０】
端子１３の接触部材２７が被接触部２５を押す方向（接触部材２７の押圧方向）から見ると、図１４で示すように、補強リブ３１は、「ロ」字状（格子状）に形成されている。接触部材２７が被接触部２５を押している部位（接触部材２７と被接触部２５とがお互いに接触している部位）が、補強リブ３１の内側に存在している。
【００２１】
ここで、コネクタ１について例を掲げてさらに詳しく説明する。
【００２２】
説明の便宜のために、コネクタ１やこの構成部品（ハウジング３等）における一方向を幅方向とし、幅方向に直交する他の一方向を長手方向とし、幅方向と長手方向とに直交する方向を高さ方向とする。
【００２３】
基板２３の被接触部２５は、金属等の導電性材料で薄膜状に形成されている。被接触部２５は、平板状に構成されている基板本体部３３の厚さ方向の一方の面に設けられている。基板本体部３３は、絶縁性の材料で構成されている。被接触部２５が薄膜状に形成されているので、被接触部２５が設けられている基板本体部３３の厚さ方向の一方の面は平面状になっている。
【００２４】
各被接触部２５はお互いが離れて設けられており、たとえば、幅方向と長手方向とにならんで、行列状に配置されている（図１、図６等参照）。また、基板２３は、この厚さ方向が上下方向になり、上面に各被接触部２５が存在している。
【００２５】
端子１３は、図２等で示すように、筐体（箱部）３５と接触部材２７と付勢部材２９とを備えて構成されている。筐体３５と接触部材２７と付勢部材２９とは、金属等の導電性材料で構成されている。
【００２６】
筐体３５は、薄板の素材をプレス加工することで形成されており、矩形な筒状の接触部材係合部３７と、ケーブル係止部３９とを備えて構成されている。接触部材２７は、筐体３５の接触部材係合部３７に係合しており、筐体３５に対して所定の距離だけ移動自在になっている。付勢部材２９は、接触部材２７が筐体３５から突出（高さ方向下側に突出）するように接触部材２７を付勢している。端子１３が単体で存在しているときには、接触部材２７は、筐体３５に設けられている突出側ストッパ４１に当接し筐体３５に対して最も突出した位置（最突出位置）に存在している（図２（ａ）参照）。
【００２７】
この最突出位置にある状態から筐体３５の内部に引っ込む方向（上方向）に接触部材２７が押されると、付勢部材２９が弾性変形し、接触部材２７が筐体３５の内部に引っ込む方向に移動するようになっている。なお、接触部材を２７さらに押すと、接触部材２７が筐体３５から突出していない最も引っ込んだ位置（最引っ込み位置）に存在するようになっている。
【００２８】
付勢部材２９は、たとえば、圧縮コイルバネで構成されており、筐体３５の内側に設けられており、一端部が接触部材２７に係合（当接）し他端部が筐体３５のストッパ４３に当接している。そして、接触部材２７を図３の右方向に付勢している。図３に示す状態では、接触部材２７が最突出位置に存在している。筐体３５を固定した状態で接触部材２７が図３の左側に押されると、付勢部材２９が圧縮されて弾性変形し、接触部材２７が最引っ込み位置側（図３の左側）に移動するようになっている。
【００２９】
また、ケーブル係止部３９をカシメることで、電線等のケーブルＣＢが、ケーブル係止部３９（筐体３５）に一体的に設置されるようになっている。筐体３５に設置されたケーブルＣＢは、筐体３５の上側から上方に延出するようになっている。なお、端子１３において、接触部材２７と付勢部材２９とを一体成形した構成であってもよい。
【００３０】
ハウジング３は、樹脂等の絶縁性材料によって一体成形されており、図１や図４等で示すように、直方体状に形成されたハウジング本体部４５と回動支軸部９と被係止部１１とを備えて構成されている。ハウジング本体部４５には、端子収容室１５が設けられている。
【００３１】
回動支軸部９は、長手方向の一端部であって高さ方向の上端のところに設けられている。また、回動支軸部９は、円柱状に形成されており、ハウジング本体部４５からこの幅方向の両側に突出している。
【００３２】
端子収容室１５は、端子１３の筐体３５とほぼ同形状な貫通孔で構成されており、ハウジング本体部４５をこの高さ方向に貫通している。端子収容室１５内には、ランス４７と端子係止部４９とが設けられている。そして、ケーブルＣＢが設置された端子１３が、図３において、ハウジング３から離れてハウジング３の左側に存在している状態から、端子１３を右側に移動して、ハウジング３の端子収容室１５に挿入すると、次のようにして、端子１３がハウジング３に一体的に設置されるようになっている。
【００３３】
まず、端子１３の筐体３５の接触部材係合部３７によってランス４７が弾性変形する。端子１３をさらに右に移動すると、端子１３の接触部材係合部３７に設けられている被係止部５１が、端子係止部４９に突き当たり、ランス４７が復元し、端子１３がハウジング３に一体的に設置されるようになっている。
【００３４】
なお、端子１３をハウジング３に設置し終えた状態では、ケーブルＣＢは、ハウジング３から上方に延出している。端子１３の接触部材２７がハウジング本体部４５から突出し最突出位置に位置している。端子収容室１５は、基板２３の被接触部２５の数と同じ数だけ存在しており、各端子１３のそれぞれが各端子収容室１５のそれぞれを収容されるようになっている。
【００３５】
また、ハウジング本体部４５には、図４等で示すように、被係止部１１が設けられている。被係止部１１は、ハウジング本体部４５の長手方向の他端部に設けられている。また、被係止部１１は、弾性部５３と突起部５５とを備えて構成されている。
【００３６】
ケース５は、樹脂等の絶縁性材料によって一体成形されており、図５等で示すように、「ロ」字状のケース本体部５７と回動軸受け部１７と係止部１９とハウジング収容部２１とを備えて構成されている。
【００３７】
回動軸受け部１７は、ケース本体部５７の長手方向の一端部であって上下方向の上端から突出している突出辺に設けられている一対の「Ｕ」字状の切り欠き５９で構成されている。一対の切り欠き５９は、ケース本体部５７の両端部に設けられている。
【００３８】
係止部１９は、ケース本体部５７の長手方向の他端部に設けられている凹部（たとえば貫通孔）６１で構成されている。
【００３９】
ケースカバー７は、樹脂等の絶縁性材料によって一体成形されており、図７等で示すように、ケースカバー本体部（基板支持体本体部）６３と補強リブ３１とを備えて構成されている。
【００４０】
ケースカバー本体部６３は、平板状の底板部６５と、底板部６５の外周から起立している板状の側板部６７とを備えている。なお、底板部６５の厚さ方向は上下方向になっており、側板部６７は、底板部６５の縁（周辺部）から上方に突出している。
【００４１】
ケースカバー本体部６３には、基板２３（基板２３の厚さ方向の他方の面；被接触部２５が設けられている面とは反対側の面）と接触して基板２３を支持する基板支持部（第１の基板支持部）６９が設けられている。これにより、端子１３の接触部材２７で押された基板２３が、第１の基板支持部６９で支持されるようになっている。
【００４２】
第１の基板支持部６９は、図１２等で示すように、側板部６７の上面の内側に形成されている段差（凹部）で形成されている。そして、第１の基板支持部６９は、被接触部２５から離れたところで基板２３を支持するようになっている。
【００４３】
さらに、基板支持部６９で基板２３を支持している状態で、ケースカバー７にケース５を一体的に設置すると、基板２３の周辺部がケースカバー７とケース５とで挟まれて、ケースカバー７とケース５と基板２３とが一体化するようになっている。
【００４４】
また、基板２３は、第１の基板支持部６９に加えて板状の補強リブ（第２の基板支持部）３１によっても支持されている（図１２等）。補強リブ３１は、ケースカバー本体部６３から突出して設けられている（底板部６５の上面から上方に突出して設けられている）。そして、補強リブ３１の先端（上端）が基板２３（基板２３の下面）と接触して基板２３を支持するようになっている。また、補強リブ３１は、被接触部２５の近傍で基板２３を支持するようになっている。
【００４５】
端子ハウジング設置状態（図１２等参照）を、基板２３の厚さ方向から見ると、各端子１３のそれぞれの位置と、各被接触部２５のそれぞれの位置とがお互いに重なっている。そして、各端子１３のそれぞれが各被接触部２５のそれぞれを押圧している。
【００４６】
なお、端子ハウジング設置状態では、端子１３の接触部材２７が、基板２３の上方から基板２３（被接触部２５）を下に向かって押している。
【００４７】
また、基板２３が端子１３で押されケースカバー７で支持されている状態（端子ハウジング設置状態；図１２等参照）を基板２３の厚さ方向（接触部材２７の押圧方向）から見ると、接触部材２７と被接触部２５との接触部位が、補強リブ３１でほぼ囲まれている。すなわち、端子設置状態を基板２３の厚さ方向から見ると、「ロ」字状（図１４参照）や「コ」字状（図１５参照）の補強リブ３１の内側に接触部材２７と被接触部２５との接触部位が存在している。これにより、補強リブ３１と接触部材２７と被接触部２５との接触部位とで、両端支持梁（中央部が端子１３の接触部材２７で押され、両端部が補強リブ３１からの反力を受ける梁）が形成されており、基板２３を補強リブ３１が安定して支持することができるようになっている。
【００４８】
すでに理解されるように、端子ハウジング設置状態等の、接触部材２７が被接触部２５に接触している状態では、接触部材２７は、最突出位置と最引っ込み位置との中間の位置に存在しており、接触部材２７の一部（被接触部２５側の部位）が、筐体３５から突出しており、接触部材２７が被接触部２５の接触して接触部材２７と被接触部２５とがお互いに電気的に接続されている。
【００４９】
また、端子１３は、被接触部２５の数と同じ数だけ存在しており、各端子１３のそれぞれが各被接触部２５のそれぞれを押圧するようになっている。すなわち、１つの被接触部２５に対して１つの端子１３が係合して押圧する構成が、被接触部２５（端子１３）の数と同じ数存在している。
【００５０】
ここで、コネクタ１の組み立て手順を説明する。
【００５１】
図１で示すように、ハウジング３、ケース５、基板２３、ケースカバー７、端子１３がお互いに離れている状態を初期状態とする。
【００５２】
まず、上記初期状態において、各端子１３にケーブルＣＢを設置し、ケーブルＣＢが設置された各端子１３をハウジング３の端子収容室１５に設置する（図３参照）。
【００５３】
続いて、ケースカバー７に基板２３を設置しさらにケース５を設置する。これにより、ケースカバー７のたとえば係止部（図示せず）にケース５のたとえば被係止部（図示せず）が係止され、ケース５と基板２３とケースカバー７とが一体化する。
【００５４】
続いて、ハウジング３の回動支軸部９をケース５の回動軸受け部１７係合させる（図８〜図１１参照）。
【００５５】
続いて、ハウジング３を、回動支軸部９を中心にして図８で示す矢印の方向の回動し、ハウジング３の被係止部１１をケース５の係止部１９に係止する（図１１〜図１３参照）。
【００５６】
これにより、ハウジング３がケース５に嵌合され、コネクタ１の組み立てが終了し、コネクタ１が、上述した端子ハウジング設置状態になる。
【００５７】
コネクタ１によれば、基板２３の被接触部２５が端子１３の接触部材２７で押されることによる基板２３の撓みを防止するための補強リブ３１が設けられているので、接触部材２７で押されても基板２３が変形することがなく、接触部材２７の押圧力を一定に保つことができ、接触部材２７と被接触部２５とが安定した状態で接触し、端子１３の接触部材２７と基板２３の被接触部２５との間の安定した導通を確保することができる。
【００５８】
また、補強リブ３１によって基板２３の撓みを防止することで、基板２３の撓みによる端子接点部（接触部材２７と被接触部２５との接触部）の動きを防ぐことができるので、基板２３の被接触部２５等における微動摩耗の発生を抑制することができ、端子１３の接触部材２７と基板２３の被接触部２５との間の電気抵抗値の上昇が抑制される。
【００５９】
また、コネクタ１によれば、接触部材２７が被接触部２５を押している部位が、「ロ」字状の補強リブ３１の近傍で「ロ」字状の補強リブ３１の内側に存在しているので、基板２３の撓みを一層安定して無くすことができる。
【００６０】
ところで、図１４で示すように補強リブ３１を「ロ」字状に形成せず、別の形状に形成してもよい。
【００６１】
たとえば、図１５で示すように、補強リブ３１を「Ｈ」字状に形成してもよい。図１５で示す補強リブ３１は、接触部材２７が被接触部２５を押す方向（接触部材２７の押圧方向；上下方向）から見ると、中央部位７１と第１の側方部位７３と第２の側方部位７５とで形成された「Ｈ」字状に形成されている。そして、端子ハウジング設置状態で、接触部材２７が被接触部２５を押している部位（接触部材２７と被接触部２５とがお互いの接触している部位）が、第１の側方部位７３と第２の側方部位７５との間に存在している。
【００６２】
なお、接触部材２７が被接触部２５を押す方向から見た補強リブ３１も形状を、上述したように「コ」字状に形成してもよい。そして、端子ハウジング設置状態で、接触部材２７が被接触部２５を押している部位が、補強リブ３１の内側に存在するようにしてもよい。
【００６３】
また、図１６で示すように、上下方向から見たときに、補強リブ３１が、直線状の伸びている第１の延伸部位７７（７７Ａ）と、この第１の延伸部位７７Ａから所定の距離だけ離れて第１の延伸部位７７Ａと平行に延びている第２の延伸部位７７（７７Ｂ）とを備えた形態になっていてもよい。そして、端子ハウジング設置状態で、接触部材２７が被接触部２５を押している部位が、第１の延伸部位７７（７７Ａ）と第２の延伸部位７７（７７Ｂ）との間に存在していてもよい。
【００６４】
また、図１７で示すように、補強リブ３１を円筒状に形成してあってもよいし、各補強リブ３１を補助リブ７９でお互いにつないでもよい。なお、補助リブ７９は、ケースカバー本体部６３の底板部６５にも接続されているものとする。
【００６５】
さらに、補強リブ３１とケースカバー本体部６３の側板部６７とを、補助リブ８１でお互いにつないでもよい。なお、補助リブ７９は、ケースカバー本体部６３の底板部６５にも接続されているものとする。また、補助リブ７９，８１の高さ（底板部６５からの起立高さ）は、補強リブ３１の起立高さよりも低くなっているものとする。
【００６６】
また、図１４、図１５、図１６で示す場合においても、図１７で示す場合と同様にして補助リブ７９，８１を設けてもよい。
【００６７】
さらに、端子ハウジング設置状態を上下方向から見たときに、接触部材２７が被接触部２５を押している部位と、補強リブ３１の少なくとも一部とがお互いに重なっていてもよい。
【００６８】
また、図１８のように、補強リブ３１がケースカバー本体部６３の外側に設けられていてもよい。
【００６９】
なお、上述したコネクタ１は、被接触部が設けられている基板と、接触部材とこの接触部材が前記被接触部を押すように前記接触部材を付勢する付勢部材とを備えた端子と、前記基板を支持するとともに前記被接触部が前記接触部材で押されることによる前記基板の撓みを防止するための補強リブが設けられている基板支持体とを有するコネクタの例である。
【符号の説明】
【００７０】
１  コネクタ
３  ハウジング
５  ケース
７  ケースカバー（基板支持体）
９  回動支軸部
１１  被係止部
１３  端子
１５  端子収容室
１７  回動軸受け部
１９  係止部
２３  基板
２５  被接触部
２７  接触部材（接触部）
２９  付勢部材（付勢部）
３１  補強リブ
７１  中央部位
７３  第１の側方部位
７５  第２の側方部位
７７Ａ  第１の延伸部位
７７Ｂ  第２の延伸部位
【図１】
0005890125.tif 000002
【図２】
0005890125.tif 000003
【図３】
0005890125.tif 000004
【図４】
0005890125.tif 000005
【図５】
0005890125.tif 000006
【図６】
0005890125.tif 000007
【図７】
0005890125.tif 000008
【図８】
0005890125.tif 000009
【図１０】
0005890125.tif 000010
【図１１】
0005890125.tif 000011
【図１３】
0005890125.tif 000012
【図１４】
0005890125.tif 000013
【図１５】
0005890125.tif 000014
【図１６】
0005890125.tif 000015
【図１７】
0005890125.tif 000016
【図１８】
0005890125.tif 000017
【図９】
0005890125.tif 000018
【図１２】
0005890125.tif 000019
【図１９】
0005890125.tif 000020